(57)【要約】      （修正有）【課題】人工大理石よりなる槽本体の流水部や枠縁部をＦＲＰで被包したその表面や内面や外面をＦＲＰで被包し軽量化を図ると共にＦＲＰと槽本体との間に人工大理石よりも軽量の介在物を介設してなる軽型シンクを提供する。【解決手段】流水部２や枠縁部３からなる槽本体１の表面や内外面にＦＲＰ５を設けると共に槽本体１の枠縁部３の外面とＦＲＰ５との間に人工大理石よりも軽い介在物６を介設し、ＦＲＰ５や介在物６の分だけ槽本体１を軽量化することにより、全体としての軽量化を図った。【選択図】図１
0003225170.tif 000002
【実用新案登録請求の範囲】
【請求項１】
用済の水の流れる流水部と該流水部の周縁部より立ち上がる枠縁部とを有し人工大理石をベース材とする槽本体からなるシンクであって、該シンクは前記流水部の表面や前記枠縁部の内面及び又は外面にＦＲＰ（繊維強化プラスチック）を被包すると共に前記槽本体と前記ＦＲＰとの間に前記人工大理石よりも軽い介在物を介設固定することを特徴とする軽型シンク。
【請求項２】
前記介在物が軽量フィラや板材からなることを特徴とする請求書１に記載の軽型シンク。
【請求項３】
用済の水の流れる流水部と該流水部の周縁部より立ち上がる枠縁部とを有し人工大理石をベース材とする槽本体からなるシンクであって、該シンクは前記槽本体の内部にその成形加工時にＦＲＰや軽量フィラや木材の如き前記人工大理石よりも軽い混合物を混入したものからなることを特徴とする軽型シンク。
【考案の詳細な説明】
【技術分野】
【０００１】  本考案は、人工大理石をベース材とするシンクであって、その槽本体をＦＲＰで被包したり、該ＦＲＰと槽本体との間に人工大理石よりも軽い介在物を介設したり、前記槽本体内にその成形加工時に人工大理石よりも軽い混合物を混入し、全体として人工大理石のみのものより軽く形成される軽型シンクに関する。
【背景技術】
【０００２】  シンク（流し台）としてはステンレス製のものが多いが人工大理石よりなるシンクもあり、これは本考案の出願人により従来から製造，販売されてきたものである。しかし従来技術では人工大理石のみのものより軽い形態を考慮したものはなかった。なお、人工大理石を使用したシンクとしては「特許文献１」に示すものが有る。シンクは前記のように人工大理石からなるものに大きな人気も有り多くの購入者も存在して来てはいるがこの内面や外面を軽い被包材で被包したり被包材と人工大理石の本体である槽本体との間に人工大理石よりも軽い介在物を介設したものは存在していない。但し、人工大理石の表面等に被包材を用いたものとして「特許文献１」がある。
【先行技術文献】
【特許文献】
【０００３】
【特許文献１】実用新案登録第３０３６８０４号（図１）
【考案の概要】
【考案が解決しようとする課題】
【０００４】  前記の「特許文献１」の「実用新案登録第３０３６８０４号」の「人工大理石一体成形式深型シンク」は人工大理石によりなる流し台であるが、その形状に得意性があると共にその表面にゲールコーティングを施したものであるが本考案のように軽量化を目的とした特種形態のシンクとは大きく創意するものである。【０００５】  本考案の軽型シンクは人工大理石のみのものよりなる槽本体自体の軽量化を図ったもので全体形状としては得意性があるものでなく全体として人工大理石のみのシンクに較べて軽い形態にすることに特徴を有する軽型シンクを提供することを目的としたものである。なお、従来のシンクとしては７０ｋｇや１００ｋｇの重量のものからなり、２人での設置作業には大変な労力を必要とする問題点があった。
【課題を解決するための手段】
【０００６】  本考案は以上の問題点を解決することを目的としたものであり、まず請求項１の考案は、用済の水の流れる流水部と該流水部の周縁部より立ち上がる枠縁部とを有し人工大理石をベース材とする槽本体からなるシンクであって、該シンクは前記流水部の表面や前記枠縁部の内面及び又は外面にＦＲＰ（繊維強化プラスチック）を被包すると共に前記槽本体と前記ＦＲＰとの間に前記人工大理石よりも軽い介在物を介設固定することを特徴とする。【０００７】  また、請求項２の考案は、前記介在物が軽量フィラや板材からなることを特徴とする。【０００８】  また、請求項３の考案は、用済の水の流れる流水部と該流水部の周縁部より立ち上がる枠縁部とを有し人工大理石をベース材とする槽本体からなるシンクであって、該シンクは前記槽本体の内部にその成形加工時にＦＲＰや軽量フィラや木材の如き前記人工大理石よりも軽い混合物を混入したものからなることを特徴とする。
【考案の効果】
【０００９】  本考案の請求項１の軽型シンクによれば、人工大理石よりなる槽本体の内面や外面に人工大理石よりも軽い被包材であるＦＲＰを被包したりＦＲＰと人工大理石の本体である槽本体との間に人工大理石よりも軽い介在物を介設し、ＦＲＰや介在物の被包や介設の分だけ人工大理石の量を低減し、全体として軽量化を図ることが出来る。【００１０】  また、本考案の請求項２の軽型シンクによれば、介在物として入手し易い軽量の軽量フィラや板材を設けることにより、簡単に槽本体の軽量化を図ることが出来、全体として確実に軽量化を図ることが出来る。【００１１】  また、本考案の請求項３の軽型シンクによれば、人工大理石よりも軽い混合物を成形加工時に混在させることにより全体として槽本体を軽く形成することが出来る効果を上げることが出来る。
【図面の簡単な説明】
【００１２】
【図１】  本考案の軽型シンクの一例を示す横断面図。
【図２】  人工大理石の槽本体内に混合物を混入した軽型シンクを示す横断面図。
【考案を実施するための形態】
【００１３】  以下、本考案の軽型シンクの実施の形態を図面を参照して詳述する。
【実施例１】
【００１４】  図１に示す実施例１は人工大理石よりなる槽本体の内面や外面をＦＲＰで被包すると共に人工大理石の槽本体の枠縁部のＦＲＰと枠縁部との間に介在物を介設固定したものからなるものを示しているが本考案としては図１の実施例１に限定するものではなく、槽本体の流水部のみにＦＲＰを被包したものや槽本体の枠縁部の内面や外面をＦＲＰで被包したものや、ＦＲＰと槽本体の内面や外面との間に介在物を介設固定したものもあるが実施例１ではこれ等の代表的な例として槽本体の流水部の内面や枠縁部の内面や外面にＦＲＰを被包し、外面のＦＲＰと枠縁部との間に介在物を介設固定した一例が示されている。【００１５】  図１において、人工大理石からなる槽本体１は用済の水の流れる流水部２とこの縁部より立ち上がる枠縁部３よりなる。流水部２には流水が排出される流水口４が傾斜している流水部２の中央部に開口して設けられている。この流水口４には図略の排水機構が連結される。【００１６】  本実施例では流水部２の表面や枠縁部３の内面及び外面にＦＲＰ（繊維強化プラスチック）５が被包して設けられている。なお、人工大理石の比重は１．７位であり、ＦＲＰ５は１．５位のため槽本体１の全体形状がＦＲＰ５の分だけ軽量化することにより、全体としての軽量化を図ることが出来る。【００１７】  また、本実施例１では槽本体１の枠縁部３の外面のＦＲＰ５と枠縁部３の外面との間に介在物６が介設されている。この介在物６としては人工大理石よりも軽量の介在物であれば任意のものでもよいが実施例としては軽量フィラや板材（木材）が介設されている。なお、軽量フィラとしては各種のものが有るがすべて適用可能である。また、板材としては木材であるがその内容や種類は特に限定するものではなく、各種のものが適用可能である。また、軽量フィラや板材等の介在物６と槽本体１やＦＲＰ５との固定手段としては各種の固定方法が適用されるが、ここではその内容は省略する。
【実施例２】
【００１８】  この軽型シンクはシンクの全体形状としては人工大理石のみからなるシンクとほぼ同一形状のものからなるが、その成形加工時において人工大理石よりも軽いＦＲＰの小片７や軽量フィラや板材等の小片８の如き混合物を混入したものからなりその分だけ全体の重量を軽くすることが出来る。【００１９】  以上の説明や図１や図２に示すようにシンクを形成することにより、全体としての軽量化を図ることが出来る。また、ＦＲＰ５や介在物６は入手し易いものであり全体としてのコストの低減を図ることも出来る。【００２０】  本考案の軽型シンクは以上の説明の如く、前記の説明に限定するものではなく、同一技術的範疇のものが適用されることは勿論である。
【産業上の利用可能性】
【００２１】  シンクとしては各種形態のものが有るが本考案は人工大理石からなるシンクに対してすべて適用可能であり、その利用範囲は極めて広い。
【符号の説明】
【００２２】１  槽本体
２  流水部
３  枠縁部
４  流水口
５  ＦＲＰ
６  介在物
７  ＦＲＰの小片
８  軽量フィラや板材等の小片
【図１】
0003225170.tif 000003
【図２】
0003225170.tif 000004